【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
外部装置と通信を行う通信部と、
ユーザが使用する機器の使用状況を示す値またはその値に対する条件と当該値または条件のそれぞれに与えられる点数である評価点数とを対応付けてなるユーザ情報を取得するユーザ情報取得部と、
前記外部装置から前記通信部を介して受信した、ユーザの特定の使用態様に対する評価値である機器使用評価値の算出元となる１以上の機器使用情報に応じて、前記機器の使用状況を示す値または条件を前記ユーザ情報から抽出し、前記抽出された前記機器の使用状況を示す値または条件のそれぞれに対応する前記評価点数に基づいて前記使用評価値を算出する処理部と
を備える、評価装置。
【請求項２】
前記評価装置は、
前記外部装置から前記通信部を介して、画像情報と、前記画像情報を撮影によって取得した撮影者を識別するための撮影者識別子とを受信し、
前記処理部は、
前記画像情報を識別する画像識別子を生成し、前記画像識別子と、前記画像情報または前記撮影者識別子とを対応付ける、
請求項１記載の評価装置。
【請求項３】
前記処理部は、
前記撮影者識別子を、算出した前記使用評価値と対応付ける
請求項２に記載の評価装置。
【請求項４】
前記機器は撮像を行うための機器であり、
前記ユーザ情報取得部は、
ユーザの写真撮影に対する熟練度または当該熟練度に対する条件と当該熟練度または条件のそれぞれに与えられる重み付けである重み付け係数とを対応付けてなる重み付け係数情報をさらに取得し、
前記処理部は、
前記記憶部に記憶した前記熟練度と合致する前記熟練度または条件を前記重み付け係数情報から検索し、合致した前記熟練度または条件に対応する前記重み付け係数を前記重み付け係数情報から取得し、当該取得した重み付け係数を前記撮影者識別子に対応付ける
請求項３に記載の評価装置。
【請求項５】
前記評価装置は、
前記外部装置から前記通信部を介して、前記画像情報を識別する画像識別子、前記画像情報に対する評価者を識別する評価者識別子および当該評価者によって前記画像情報に与えられた評価点が対応付けられてなる評価情報受信し、
前記処理部は、
所定の前記画像識別子に対応する評価点を合計して合計点を算出し、当該算出した合計点を第１合計点として前記画像識別子に対応付ける、
請求項２乃至請求項４のいずれか１項に記載の評価装置。
【請求項６】
前記処理部は、
前記外部装置から前記通信部を介して、画像情報を識別する画像識別子、当該画像情報に対する評価者を識別する評価者識別子および当該評価者によって前記画像情報に与えられた評価点が対応付けられてなる評価情報受信し、所定の前記画像識別子に対応付けられた評価者識別子のそれぞれをユーザ識別子として前記ユーザ情報から前記重み付け係数を１以上取得し、当該取得した１以上の重み付け係数のそれぞれと前記同一の画像識別子に対応付けられた評価点とに応じて合計点を算出し、当該算出した合計点を第２合計点として前記画像識別子に対応付ける、
請求項４記載の評価装置。
【請求項７】
前記処理部は、
前記同一の画像識別子に対応付けられた前記撮影者識別子に基づいて前記ユーザ情報から前記重み付け係数を取得し、当該取得した重み付け係数と前記合計点との乗算値を算出し、当該算出した乗算値を第３合計点として前記画像識別子に対応付ける
請求項４または請求項６に記載の評価装置。
【請求項８】
前記外部装置から前記通信部を介して、前記画像情報を識別する画像識別子、前記画像情報に対する評価者を識別する評価者識別子および当該評価者によって前記画像情報に与えられた評価点が対応付けられてなる評価情報を１以上受信すると、同一の当該画像識別子に対応する評価点を合計して合計点を算出し、当該算出した合計点を第１合計点として前記画像識別子に対応付け、
前記同一の当該画像識別子に対応付けられた評価者識別子のそれぞれをユーザ識別子として前記ユーザ情報から前記重み付け係数を１以上取得し、当該取得した１以上の重み付け係数のそれぞれと前記同一の画像識別子に対応付けられた評価点との乗算値を合計して合計点を算出し、当該算出した合計点を第２合計点として前記画像識別子に対応付け、
前記同一の画像識別子に対応付けられた前記撮影者識別子をユーザ識別子として前記ユーザ情報から前記重み付け係数を取得し、当該取得した重み付け係数と前記合計点との乗算値を算出し、当該算出した乗算値を第３合計点として前記画像識別子に対応付ける画像評価部と、
前記外部装置から前記通信部を介して、前記第１合計点、前記第２合計点および前記第３合計点のいずれの点数の降順に画像をリストアップするかを示す情報を受信すると、当該受信した情報が示す点数の降順に、画像情報を、前記通信部を介して、前記外部装置に送信する検索部と
をさらに備える、請求項１乃至請求項４のいずれか１項に記載の評価装置。
【請求項９】
前記カメラ使用状況を示す値は、
撮影した写真の枚数である撮影枚数、カメラを使用した時間である使用時間、カメラを操作した回数である操作回数、カメラを使用して撮影した時間帯を示す値、カメラを使用した季節を示す値、カメラを使用した地域を示す値、カメラの機材およびカメラのスペックを示す値のうち、いずれか１つまたは２つ以上の組み合わせを含む、請求項１乃至請求項８のいずれか１項に記載の評価装置。
【請求項１０】
前記カメラ使用情報は、
撮影した写真の枚数である撮影枚数、カメラを使用した時間である使用時間、カメラを操作した回数である操作回数、カメラを使用して撮影した日時である撮影日時、カメラが使用された位置を示すＧＰＳデータ、カメラの機材およびカメラのスペックを示す値のうち、いずれか１つまたは２つ以上の組み合わせを含む、
請求項９に記載の評価装置。
【請求項１１】
前記処理部は、
前記カメラ使用情報が、前記撮影日時を含む場合、当該撮影日時から前記時間帯を示す
値を特定し、前記ＧＰＳデータを含む場合、当該ＧＰＳデータから前記地域を示す値を特
定し、当該地域および前記撮影日時から前記季節を示す値を特定し、
当該特定した値のそれぞれと合致する前記カメラ使用状況を示す値または条件を前記１以上のユーザ情報から抽出する
請求項１０に記載の評価装置。
【請求項１２】
ユーザが使用する機器の使用状況を示す値またはその値に対する条件と、当該値または条件のそれぞれに与えられる点数である評価点数とを対応付けてなるユーザ情報を取得するとともに、
前記機器がユーザに使用されることにより得られる使用情報を取得する取得部と、
前記使用情報に応じた前記機器の使用状況を示す値または条件を前記ユーザ情報から選択し、前記選択された前記カメラ使用状況を示す値または条件のそれぞれに対応する前記評価点数に基づいて前記被使用装置に対するユーザの使用を評価するための評価値を算出する制御部と
を備える、評価装置。
【請求項１３】
ユーザが使用する機器の使用状況を示す値またはその値に対する条件と当該値または条件のそれぞれに与えられる点数である評価点数とを対応付けてなるユーザ情報を取得するステップと、
外部装置から受信した、ユーザの特定の使用態様に対する評価値である機器使用評価値の算出元となる１以上の機器使用情報に応じて、前記機器の使用状況を示す値または条件を前記ユーザ情報から抽出し、前記抽出された前記機器の使用状況を示す値または条件のそれぞれに対応する前記評価点数に基づいて前記使用評価値を算出するステップと
を含む、評価方法。
【請求項１４】
コンピュータを、
外部装置と通信を行う通信部と、
ユーザが使用する機器の使用状況を示す値またはその値に対する条件と当該値または条件のそれぞれに与えられる点数である評価点数とを対応付けてなるユーザ情報を取得するユーザ情報取得部と、
前記外部装置から前記通信部を介して受信した、ユーザの特定の使用態様に対する評価値である機器使用評価値の算出元となる１以上の機器使用情報に応じて、前記機器の使用状況を示す値または条件を前記ユーザ情報から抽出し、前記抽出された前記機器の使用状況を示す値または条件のそれぞれに対応する前記評価点数に基づいて前記使用評価値を算出する処理部と
を備える、評価装置として機能させるための、評価プログラム。
【請求項１５】
評価装置と外部装置とを備えた評価システムであって、
前記外部装置は、
ユーザの特定の使用態様に対する評価値である機器使用評価値の算出元となる１以上の機器使用情報を前記評価装置に送信する画像アップロード部
を有し、
前記評価装置は、
前記外部装置と通信を行う通信部と、
ユーザが使用する機器の使用状況を示す値またはその値に対する条件と当該値または条件のそれぞれに与えられる点数である評価点数とを対応付けてなるユーザ情報を取得するユーザ情報取得部と、
前記外部装置から前記通信部を介して受信した、ユーザの特定の使用態様に対する評価値である機器使用評価値の算出元となる１以上の機器使用情報に応じて、前記機器の使用状況を示す値または条件を前記ユーザ情報から抽出し、前記抽出された前記機器の使用状況を示す値または条件のそれぞれに対応する前記評価点数に基づいて前記使用評価値を算出する処理部と
を備える、評価装置。
を有する、評価システム。